(57)【要約】【課題】測定者に起因した測定精度の劣化を抑制可能な放射線検出器を提供する。【解決手段】放射線を検出する放射線検出部１０と、測定開始のトリガとなるユーザ入力を受付ける開始トリガ受付部２０と、開始トリガ受付部２０が測定開始のトリガとなるユーザ入力を受付けた時から所定の待機時間を経過した時を測定開始タイミングとし、測定開始タイミングから所定の測定時間を経過した時を測定終了タイミングとして、測定開始タイミングから測定終了タイミングまでの間に放射線検出部１０が検出した放射線の測定結果を算出する測定結果算出部３０と、測定結果算出部３０が算出した測定結果を出力する測定結果出力部４０と、を有する放射線検出器１。【選択図】図１
2014001958.tif 000002
【特許請求の範囲】
【請求項１】
放射線を検出する放射線検出部と、
測定開始のトリガとなるユーザ入力を受付ける開始トリガ受付部と、
前記開始トリガ受付部が前記測定開始のトリガとなるユーザ入力を受付けた時から所定の待機時間を経過した時を測定開始タイミングとし、前記測定開始タイミングから所定の測定時間を経過した時を測定終了タイミングとして、前記測定開始タイミングから前記測定終了タイミングまでの間に前記放射線検出部が検出した放射線の測定結果を算出する測定結果算出部と、
前記測定結果算出部が算出した前記測定結果を出力する測定結果出力部と、
を有する放射線検出器。
【請求項２】
請求項１に記載の放射線検出器において、
前記測定結果算出部は、前記待機時間を示す情報を保持する放射線検出器。
【請求項３】
請求項２に記載の放射線検出器において、
前記待機時間を設定するユーザ入力を受付ける待機時間入力受付部をさらに有する放射線検出器。
【請求項４】
請求項１から３のいずれか１項に記載の放射線検出器において、
前記測定時間を設定するユーザ入力を受付ける測定時間入力受付部をさらに有する放射線検出器。
【請求項５】
請求項１から４のいずれか１項に記載の放射線検出器において、
前記測定結果算出部は、前記放射線検出部による放射線検出の開始及び終了を制御する検出開始・終了制御手段を有し、
前記検出開始・終了制御手段は、前記測定開始タイミングから放射線の検出を開始し、前記測定終了タイミングで放射線の検出を終了するよう前記放射線検出部を制御する放射線検出器。
【請求項６】
請求項１から５のいずれか１項に記載の放射線検出器において、
前記測定結果算出部は、線量当量率を算出する放射線検出器。
【請求項７】
放射線を検出する放射線検出部を備えておき、
測定開始のトリガとなるユーザ入力を受付ける開始トリガ受付ステップと、
前記開始トリガ受付ステップで前記測定開始のトリガとなるユーザ入力を受付けた時から所定の待機時間を経過した時を測定開始タイミングとし、前記測定開始タイミングから所定の測定時間を経過した時を測定終了タイミングとして、前記測定開始タイミングから前記測定終了タイミングまでの間に前記放射線検出部が検出した放射線の測定結果を算出する測定結果算出ステップと、
前記測定結果算出ステップが算出した前記測定結果を出力する測定結果出力ステップと、
をコンピュータが実行する放射線検出方法。
【発明の詳細な説明】
【技術分野】
【０００１】
本発明は、放射線検出器、及び、放射線検出方法に関する。
【背景技術】
【０００２】
放射線検出器の中には、放射線を検出する検出部と、測定結果を表示する表示部とが一つの筺体内に格納され、検出部が検出した放射線の測定結果をリアルタイムに表示部に表示するよう構成されたものがある。このような放射線検出器は、例えば特許文献１に開示されている。
【先行技術文献】
【特許文献】
【０００３】
【特許文献１】特開２００６−５８１０３号公報
【発明の概要】
【発明が解決しようとする課題】
【０００４】
上述のような放射線検出器を用いた測定方法としては、例えば、測定者が当該検出器を手に保持した状態で測定を行う方法や、測定者が表示部分を観察可能な位置に当該検出器を固定して測定を行う方法が考えられる。すなわち、測定者は、表示部にリアルタイムに表示される測定結果を確認するため、測定時に当該検出器のそばにいる必要がある。かかる場合、測定者から発する放射線や、測定者に起因した放射線の散乱成分の影響で、測定値の正確性が損なわれる可能性がある。
【０００５】
本発明は、測定者に起因した測定精度の劣化を抑制可能な放射線検出器及び放射線検出方法を提供することを課題とする。
【課題を解決するための手段】
【０００６】
本発明によれば、
放射線を検出する放射線検出部と、
測定開始のトリガとなるユーザ入力を受付ける開始トリガ受付部と、
前記開始トリガ受付部が前記測定開始のトリガとなるユーザ入力を受付けた時から所定の待機時間を経過した時を測定開始タイミングとし、前記測定開始タイミングから所定の測定時間を経過した時を測定終了タイミングとして、前記測定開始タイミングから前記測定終了タイミングまでの間に前記放射線検出部が検出した放射線の測定結果を算出する測定結果算出部と、
前記測定結果算出部が算出した前記測定結果を出力する測定結果出力部と、
を有する放射線検出器が提供される。
【０００７】
また、本発明によれば、
放射線を検出する放射線検出部を備えておき、
測定開始のトリガとなるユーザ入力を受付ける開始トリガ受付ステップと、
前記開始トリガ受付ステップで前記測定開始のトリガとなるユーザ入力を受付けた時から所定の待機時間を経過した時を測定開始タイミングとし、前記測定開始タイミングから所定の測定時間を経過した時を測定終了タイミングとして、前記測定開始タイミングから前記測定終了タイミングまでの間に前記放射線検出部が検出した放射線の測定結果を算出する測定結果算出ステップと、
前記測定結果算出ステップが算出した前記測定結果を出力する測定結果出力ステップと、
をコンピュータが実行する放射線検出方法が提供される。
【発明の効果】
【０００８】
本発明によれば、測定者に起因した測定精度の劣化を抑制可能な放射線検出器及び放射線検出方法が実現される。
【図面の簡単な説明】
【０００９】
【図１】本実施形態の放射線検出器の機能ブロック図の一例である。
【図２】本実施形態の測定結果算出部を説明するための図である。
【図３】本実施形態の放射線検出器の外観模式図の一例である。
【図４】本実施形態の放射線検出器の機能ブロック図の一例である。
【図５】本実施形態の放射線検出器の機能ブロック図の一例である。
【図６】本実施形態の測定結果算出部を説明するための図である。
【図７】本実施形態の測定結果算出部を説明するための図である。
【発明を実施するための形態】
【００１０】
以下、本発明の放射線検出器、及び、放射線検出方法の実施形態について図面を用いて説明する。なお、図はあくまで発明の構成を説明するための概略図であり、各部材の大きさ、形状、数、異なる部材間の大きさの比率などは特に言及がない限り図示するものに限定されない。
【００１１】
また、本実施形態の各部は、マイコン、ＣＰＵ、メモリ、メモリにロードされたプログラム、記憶ユニット等のハードウェア、ソフトウェア、又、その他の部材の任意の組合せによって実現される。そして、その実現方法にはいろいろな変形例があることは、当業者には理解されるところである。
【００１２】
＜第１の実施形態＞
まず、本実施形態の放射線検出器及び放射線検出方法の概要について説明する。本実施形態の放射線検出器は、ユーザから測定を開始するトリガとなる入力を受付けると、直ちに測定を開始するのでなく、入力を受付けた後、予め定められた所定の待機時間を経過したタイミングから測定を開始する。そして、測定開始後、予め定められた所定の測定時間を経過したタイミングで測定を終了し、その後、当該測定時間内に検出した放射線の測定結果を例えばディスプレイに表示する。
【００１３】
このような構成であるので、測定者は、放射線を測定したい場所に本実施形態の放射線検出器を設置し、測定を開始するトリガとなる入力を行った後、所定の待機時間の間に、測定結果に影響を及ぼさない程度に放射線検出器から離れることができる。そして、所定の測定時間を経過した後に放射線検出器に近づき、又は、放射線検出器を近寄せ、ディスプレイに表示された測定結果を確認することができる。
【００１４】
このような本実施形態の放射線検出器及び放射線検出方法によれば、測定者に起因した測定精度の劣化を抑制することができる。
【００１５】
次に、本実施形態の放射線検出器及び放射線検出方法について詳細に説明する。
【００１６】
図１に、本実施形態の放射線検出器の機能ブロック図の一例を示す。図示するように、本実施形態の放射線検出器１は、放射線検出部１０と、開始トリガ受付部２０と、測定結果算出部３０と、測定結果出力部４０とを有する。以下、各部について説明する。
【００１７】
放射線検出部１０は、放射線を検出し、検出データを測定結果算出部３０に向けて出力するよう構成される。放射線検出部１０は、例えばシンチレータと光検出器とを有する。
【００１８】
シンチレータは、放射線があたると光を発する。本実施形態では、従来のあらゆるシンチレータを採用することができ、その種類、形状、大きさは特段制限されない。
【００１９】
光検出器は、シンチレータと光学結合している。光検出器は、シンチレータが発した光を受光すると、当該光を電気信号に変換し、測定結果算出部３０に向けて出力する。本実施形態では、シリコンフォトマルチプライヤーや、高電子増倍管など、従来のあらゆる光検出器を採用することができる。
【００２０】
このようなシンチレータと光検出器を含んで構成される放射線検出部１０の構成は、従来のあらゆる構成を採用することができる。
【００２１】
開始トリガ受付部２０は、測定開始のトリガとなるユーザ入力を受付ける。例えば、放射線検出器１に測定開始入力ボタンが備えられており、開始トリガ受付部２０は、測定開始のトリガとなるユーザ入力として、当該測定開始入力ボタンの押下を受付けてもよい。なお、開始トリガ受付部２０は、マイク、タッチパネルディスプレイ等のその他の入力装置を用いて、測定開始のトリガとなるユーザ入力を受付けてもよい。
【００２２】
測定結果算出部３０は、放射線検出部１０から放射線の検出データを取得すると、当該検出データを利用して、放射線検出部１０が検出した放射線の測定結果を算出する。なお、測定結果算出部３０は、開始トリガ受付部２０が測定開始のトリガとなるユーザ入力を受付けたタイミングに基づいて、測定開始タイミング及び測定終了タイミングを判断し、測定開始タイミングから測定終了タイミングまでの間に放射線検出部１０が検出した放射線の検出データを利用して、測定結果を算出する。
【００２３】
算出する測定結果は特段制限されず、例えば、線量当量率、吸収線量、放射線量、放射線のエネルギー毎のカウント数などの数値データであってもよい。または、これらの数値データを利用して、ユーザが容易に測定結果の程度（例：危険度）を判断できる指標を算出し、これを測定結果としてもよい。
【００２４】
測定結果算出部３０が線量当量率等の数値データを算出する手段は従来技術に準じて実現できる。よって、ここでの説明は省略する。
【００２５】
測定結果算出部３０が上述のような指標を算出する手段は、例えば以下のようなものであってもよい。例えば、測定結果算出部３０は、線量当量率等の数値を段階的に所定数のグループに分け、各グループにユーザが容易に測定結果の程度（例：危険度）を判断できる指標（例：１〜５の５段階評価（５が最も危険で１が最も安全）、赤・黄・青の３段階評価（赤が危険、黄が注意、青が安全）等）を対応付けた情報（対応情報）を保持しておく。そして、測定結果算出部３０は、放射線検出部１０から取得した検出データを利用して線量当量率等の数値データを算出すると、上記対応情報を参照し、算出した数値データが属するグループを特定後、当該グループに対応付けられている指標を測定結果として抽出してもよい。
【００２６】
次に、図２を用いて、測定開始タイミング及び測定終了タイミングについて説明する。図２に示すように、測定結果算出部３０は、開始トリガ受付部２０が測定開始のトリガとなるユーザ入力を受付けた時から所定の待機時間を経過した時を測定開始タイミングとする。また、当該測定開始タイミングから所定の測定時間を経過した時を測定終了タイミングとする。
【００２７】
測定結果算出部３０は、開始トリガ受付部２０が測定開始のトリガとなるユーザ入力を受付けると、当該タイミングを特定する情報（以下、「トリガ入力タイミング特定情報」）を開始トリガ受付部２０から取得する。例えば、測定結果算出部３０は、開始トリガ受付部２０が測定開始のトリガとなるユーザ入力を受付けると、リアルタイムに、その旨を示す情報をトリガ入力タイミング特定情報として開始トリガ受付部２０から取得してもよい。かかる場合、測定結果算出部３０は、トリガ入力タイミング特定情報を取得したタイミングを、開始トリガ受付部２０が測定開始のトリガとなるユーザ入力を受付けたタイミングとすることができる。または、開始トリガ受付部２０は、測定開始のトリガとなるユーザ入力を受付けると、その時の時間情報を放射線検出器１内に内蔵された時計から取得し、その時間情報を、トリガ入力タイミング特定情報として、測定結果算出部３０に送信してもよい。
【００２８】
測定結果算出部３０は、図１に示すように、予め待機時間及び測定時間（設計的事項）を示す情報（待機・測定時間情報）を保持しておく。そして、測定結果算出部３０は、トリガ入力タイミング特定情報を取得すると、当該情報と待機・測定時間情報を利用して、測定開始タイミング及び測定終了タイミングを特定する。なお、待機時間は、測定の際、測定者が放射線を測定したい場所に本実施形態の放射線検出器を設置し、測定を開始するトリガとなる入力を行った後、当該待機時間内に、測定結果に影響を及ぼさない程度に放射線検出器１から離れることができる程度に設定される。例えば、５秒以上、１５秒以上、又は、１分以上であってもよい。
【００２９】
次に、測定結果算出部３０が、上述のような測定開始タイミングから測定終了タイミングまでの間に放射線検出部１０が検出した検出データを取得する手段の一例について説明する。
【００３０】
図１に示すように、測定結果算出部３０は、放射線検出部１０による放射線検出の開始及び終了を制御する検出開始・終了制御手段３１を備えておくことができる。
【００３１】
検出開始終了制御手段３１は、開始トリガ受付部２０からトリガ入力タイミング特定情報を取得すると、当該情報と、予め保持している待機・測定時間情報と、例えば放射線検出器１内に備えられたタイマー又は内蔵時計を利用して、トリガ入力タイミング特定情報で特定されるタイミングから所定の待機時間を経過した測定開始タイミングを特定する。そして、検出開始終了制御手段３１は、特定した測定開始タイミングから放射線の検出を開始するよう、放射線検出部１０を制御する。例えば、検出開始終了制御手段３１は、測定開始タイミングを特定後、放射線検出器１内に備えられたタイマー又は内蔵時計を利用して、現時点が測定開始タイミングであるか否かを判断し続け、測定開始タイミングになると、それをトリガに、放射線検出部１０に向けて検出開始の指示を出力してもよい。放射線検出部１０は検出開始終了制御手段３１の制御に従い、放射線の検出を開始する。
【００３２】
その後、検出開始終了制御手段３１は、例えば放射線検出器１内に備えられたタイマー又は内蔵時計を利用して、測定開始タイミングから所定の測定時間を経過した測定終了タイミングを特定する。そして、検出開始終了制御手段３１は、特定した測定終了タイミングで放射線の検出を終了するよう、放射線検出部１０を制御する。例えば、検出開始終了制御手段３１は、測定終了タイミングを特定後、放射線検出器１内に備えられたタイマー又は内蔵時計を利用して、現時点が測定終了タイミングであるか否かを判断し続け、測定終了タイミングになると、それをトリガに、放射線検出部１０に向けて検出終了の指示を出力してもよい。放射線検出部１０は検出開始終了制御手段３１の制御に従い、放射線の検出を終了する。
【００３３】
そして、測定結果算出部３０は、このように測定開始及び測定終了を制御された放射線検出部１０がその開始から終了までの間に検出した放射線の検出データを、測定開始タイミングから測定終了タイミングまでの間に放射線検出部１０が検出した検出データとして取得してもよい。
【００３４】
図１に戻り、測定結果出力部４０は、測定結果算出部３０が算出した測定結果を出力する。出力手段は特段制限されず、ディスプレイ、スピーカ、ライト等の出力装置を利用することができる。
【００３５】
なお、放射線検出器１は、測定結果算出部３０が算出した測定結果を所定の間記憶する記憶部を備えてもよい。
【００３６】
図３に、本実施形態の放射線検出器１の外観構成の一例を示す。図示する放射線検出器１は、放射線を検出するセンサー部２を有する。当該センサー部２から入射した放射線は、例えば放射線検出部１０のシンチレータに入射することとなる。
【００３７】
図示する放射線検出器１は、測定開始のトリガとなるユーザ入力を受付けるための測定開始入力ボタン４を有する。開始トリガ受付部２０は、測定開始のトリガとなるユーザ入力として、測定開始入力ボタン４の押下を受付ける。
【００３８】
図示する放射線検出器１は、測定結果算出部３０が算出した測定結果を出力するためのディスプレイ３を有する。図示する放射線検出器１は、測定結果として、測定結果算出部３０が算出した線量当量率を表示している。
【００３９】
なお、操作ボタン５については以下の実施形態で説明する。
【００４０】
以上の説明によれば、以下の放射線検出方法の説明もなされている。
【００４１】
放射線を検出する放射線検出部を備えておき、
測定開始のトリガとなるユーザ入力を受付ける開始トリガ受付ステップと、
前記開始トリガ受付ステップで前記測定開始のトリガとなるユーザ入力を受付けた時から所定の待機時間を経過した時を測定開始タイミングとし、前記測定開始タイミングから所定の測定時間を経過した時を測定終了タイミングとして、前記測定開始タイミングから前記測定終了タイミングまでの間に前記放射線検出部が検出した放射線の測定結果を算出する測定結果算出ステップと、
前記測定結果算出ステップが算出した前記測定結果を出力する測定結果出力ステップと、
をコンピュータが実行する放射線検出方法。
【００４２】
次に、本実施形態の作用効果について説明する。
【００４３】
本実施形態の場合、放射線検出器１に対して測定開始の操作（測定開始のトリガとなるユーザ入力）を行った後、測定が開始されるまでに所定の待機時間が存在する。このため、測定者は、放射線検出器１を所定の位置に設置し、測定開始の操作（測定開始のトリガとなるユーザ入力）を行った後、所定の待機時間の間に、測定結果に影響を及ぼさない程度に放射線検出器１から距離をとることができる。
【００４４】
その後、放射線検出器１は設置された位置で放射線の測定を行い、測定結果（線量当量率等）を出力する。このため、測定者は、測定が完了した後で放射線検出器１に近づき、あるいは放射線検出器１を近寄せ、出力されている測定結果を確認することができる。
【００４５】
このような本実施形態によれば、測定者に起因した測定精度の劣化、すなわち、測定者から発する放射線や、測定者に起因した放射線の散乱成分の影響による測定精度の劣化を抑制することができる。
【００４６】
また、本実施形態によれば、樹木の上や、マンホールの中など、測定者が長時間居続けることが困難な場所であっても、放射線検出器１を設置でき、測定開始の操作（測定開始のトリガとなるユーザ入力）が可能であり、測定の間放射線検出器１を設置し続けることができ、かつ、放射線検出器１の回収が可能であれば、放射線の測定を行うことができる。
【００４７】
＜第２の実施形態＞
図４に、本実施形態の放射線検出器の機能ブロック図の一例を示す。図示するように、本実施形態の放射線検出器１は、放射線検出部１０と、開始トリガ受付部２０と、測定結果算出部３０と、測定結果出力部４０と、待機時間入力受付部５０と、測定時間入力受付部６０とを有する。なお、待機時間入力受付部５０及び測定時間入力受付部６０の一方を備えない構成とすることもできる。
【００４８】
以下、測定結果算出部３０、待機時間入力受付部５０及び測定時間入力受付部６０について説明する。なお、放射線検出部１０、開始トリガ受付部２０、及び、測定結果出力部４０の構成は第１の実施形態と同様であるので、ここでの説明は省略する。
【００４９】
待機時間入力受付部５０は、待機時間を設定するユーザ入力を受付ける。そして、測定結果算出部３０は、待機時間入力受付部５０が入力を受付けた待機時間を示す情報を保持し、当該情報を利用して、第１の実施形態で説明したように、測定開始タイミングを特定する。
【００５０】
測定時間入力受付部６０は、測定時間を設定するユーザ入力を受付ける。そして、測定結果算出部３０は、測定時間入力受付部５０が入力を受付けた測定時間を示す情報を保持し、当該情報を利用して、第１の実施形態で説明したように、測定終了タイミングを特定する。
【００５１】
なお、測定結果算出部３０のその他の構成は第１の実施形態と同様である。
【００５２】
待機時間入力受付部５０、及び、測定時間入力受付部６０が上述のようなユーザ入力を受付ける手段は特段制限されず、放射線検出器１に備えられた入力ボタンや、タッチパネルディスプレイ、マイク等のあらゆる入力装置を利用して実現できる。
【００５３】
図３に、本実施形態の放射線検出器１の外観構成の一例を示す。センサー部２、ディスプレイ３、及び、測定開始入力ボタン４については、第１の実施形態で説明した通りである。
【００５４】
操作ボタン５は、待機時間を設定するユーザ入力、及び／又は、測定時間を設定するユーザ入力を受付ける。例えば３つの操作ボタン５の内一番上の丸いボタンを押下すると、押下するごとに、測定モード→待機時間設定モード→測定時間設定モードと切り替わる。そして、待機時間設定モードにすると、ディスプレイ３に、その時点で設定されている待機時間が表示される。その状態で、操作ボタン５の内、上方向及び下方向を向く１組の三角のボタンを押下すると、ディスプレイ３に表示される待機時間が変更する。そして、再び操作ボタン５の内一番上の丸いボタンを押下し、他のモードに切り替えると、測定結果算出部３０が保持する待機時間が、その時点でディスプレイ３に表示されていた待機時間に更新される。測定時間についても、同様の手段で更新される。
【００５５】
以上説明した本実施形態の放射線検出器１によれば、測定者は、自由に待機時間及び／又は測定時間を変更することができる。
【００５６】
例えば、周辺に障害物が存在しない場所で放射線を測定する場合、測定者は、放射線検出器１を設置し、測定を開始するトリガとなる入力を行った後、容易に、放射線検出器１から距離をとることができる。このような場合は、例えば待機時間を１０秒、２０秒など少なめに設定することで、待ち時間を少なくし、作業効率を向上させることができる。
【００５７】
一方、樹木の上や、マンホールの中など、周辺に障害物が存在する場所で放射線を検出する場合、測定者は、放射線検出器１を設置し、測定を開始するトリガとなる入力を行った後、測定結果に影響を及ぼさない程度に放射線検出器１から距離をとるために、十分な時間が必要となる。このような場合は、周辺環境に応じて、例えば待機時間を１分、５分、１０分など適切な時間に設定することができる。
【００５８】
また、目的対象物、空間の線量当量率が低い場合には、放射線検出部１０で検出する放射線の統計が少なくなるため、測定誤差が大きくなる。よって、線量当量率が低いと予測される場所で測定する場合には、測定誤差が十分に少なくなる統計を積算できるような十分な測定時間を設定することができる。
【００５９】
以上、本実施形態の放射線検出器によれば、第１の実施形態で説明した作用効果を実現することができる。また、本実施形態の放射線検出器は、例えば測定環境に応じて待機時間及び／又は測定時間を変更することができるので、より測定精度を向上させることができる。
【００６０】
＜第３の実施形態＞
図５に、本実施形態の放射線検出器の機能ブロック図の一例を示す。図示するように、本実施形態の放射線検出器１は、放射線検出部１０と、開始トリガ受付部２０と、測定結果算出部３０と、測定結果出力部４０とを有する。なお、図示しないが、本実施形態の放射線検出器１は、待機時間入力受付部５０及び測定時間入力受付部６０の少なくとも一方を有することができる。
【００６１】
以下、測定結果算出部３０について説明する。なお、放射線検出部１０、開始トリガ受付部２０、測定結果出力部４０、待機時間入力受付部５０、及び、測定時間入力受付部６０については、第１及び第２の実施形態で説明した通りであるので、ここでの説明は省略する。
【００６２】
第１の実施形態では、測定結果算出部３０の検出開始・終了制御手段３１は、測定開始タイミングから放射線の検出を開始し、測定終了タイミングで放射線の検出を終了するよう放射線検出部１０を制御した。すなわち、図６に示すように、測定開始タイミングと放射線検出部１０が測定を開始するタイミングは一致し、また、測定終了タイミングと放射線検出部１０が測定を終了するタイミングは一致していた。
【００６３】
本実施形態では、検出開始・終了制御手段３１は、図７に示すように、測定開始タイミングより所定時間（準備時間：設計的事項）前から放射線の検出を開始し、測定終了タイミングより所定時間（調整時間：設計的事項）後に放射線の検出を終了するよう放射線検出部１０を制御する。
【００６４】
その他、検出開始・終了制御手段３１は、測定開始タイミングより所定時間（準備時間）前から放射線の検出を開始し、測定終了タイミングで放射線の検出を終了するよう放射線検出部１０を制御することもできる。また、検出開始・終了制御手段３１は、測定開始タイミングから放射線の検出を開始し、測定終了タイミングより所定時間（調整時間）後に放射線の検出を終了するよう放射線検出部１０を制御することもできる。
【００６５】
図５に示すように、測定結果算出部３０は、放射線検出部１０から取得した測定データの中から、測定開始タイミングから測定終了タイミングまでの間に放射線検出部１０が検出した検出データを抽出するデータ抽出手段３２を有する。データ抽出手段３２は、検出開始・終了制御手段３１から準備時間及び／又は調整時間を示す情報を取得し、当該情報を利用して、放射線検出部１０から取得した測定データの中の冒頭から所定時間分（準備時間分）、及び／又は、終わりから所定時間分（調整時間分）を取り除くことで、測定開始タイミングから測定終了タイミングまでの間に放射線検出部１０が検出した検出データを抽出することができる。
【００６６】
以上、本実施形態の放射線検出器によれば、第１及び第２の実施形態で説明した作用効果を実現することができる。また、本実施形態の放射線検出器は、測定開始直後、及び、測定終了直前の測定データを取り除いて測定結果を算出することができるので、より測定精度を向上させることができる。
【符号の説明】
【００６７】
１    放射線検出器
２    センサー部
３    ディスプレイ
４    測定開始入力ボタン
５    操作ボタン
１０  放射線検出部
２０  開始トリガ受付部
３０  測定結果算出部
３１  検出開始・終了制御手段
３２  データ抽出手段
４０  測定結果出力部
５０  待機時間入力受付部
６０  測定時間入力受付部
【図１】
2014001958.tif 000003
【図２】
2014001958.tif 000004
【図３】
2014001958.tif 000005
【図４】
2014001958.tif 000006
【図５】
2014001958.tif 000007
【図６】
2014001958.tif 000008
【図７】
2014001958.tif 000009